(57)【特許請求の範囲】
【請求項１】
複数の端末同士がネットワークを介して通信を行うことでプレゼンスサービスを実現するプレゼンスサービスシステムであって、
前記端末は、
自端末のユーザに関する状態を示す自端末プレゼンス情報を保持するプレゼンス情報保持部と、
前記自端末プレゼンス情報の通知を要求してきた他端末を予め登録しておくウォッチャリスト保持部と、
前記ウォッチャリスト保持部に登録されている他端末のユーザに関する状態を示す他端末プレゼンス情報を受信するプレゼンス情報受信部と、
前記他端末プレゼンス情報の種類と当該他端末プレゼンス情報が示す状態毎に、前記他端末に通知すべき前記自端末プレゼンス情報の種類が予め設定されるプレゼンス通知ポリシ保持部と、
前記他端末プレゼンス情報を受信した場合、前記プレゼンス通知ポリシ保持部の設定に基づいて、前記プレゼンス情報保持部に保持される前記自端末プレゼンス情報の種類を特定するプレゼンス通知ポリシ設定部と、
前記プレゼンス情報保持部に保持される前記自端末プレゼンス情報のうち、前記プレゼンス通知ポリシ設定部で特定された種類に該当する自端末プレゼンス情報を、前記ウォッチャリスト保持部に登録されている他端末に対して送信するプレゼンス情報通知部と、
を有することを特徴とするプレゼンスサービスシステム。
【請求項２】
前記プレゼンス通知ポリシ保持部は、
前記自端末プレゼンス情報の種類と当該自端末プレゼンス情報が示す状態及び前記他端末プレゼンス情報の種類と当該他端末プレゼンス情報が示す状態毎に、前記他端末に通知すべき前記自端末プレゼンス情報の種類が予め設定されており、
前記プレゼンス通知ポリシ設定部は、
前記他端末プレゼンス情報を受信した場合、前記プレゼンス通知ポリシ保持部の設定に基づいて、前記プレゼンス情報保持部に保持される前記自端末プレゼンス情報の種類を特定し、
前記プレゼンス情報通知部は、
前記プレゼンス情報保持部に保持される前記自端末プレゼンス情報のうち、前記プレゼンス通知ポリシ設定部で特定された種類に該当する自端末プレゼンス情報を、前記ウォッチャリスト保持部に登録されている他端末に対して送信することを特徴とする請求項１記載のプレゼンスサービスシステム。
【請求項３】
複数の端末同士がネットワークを介して通信を行うことでプレゼンスサービスを実現し、前記複数の端末同士の通信を中継するサーバを有するプレゼンスサービスシステムであって、
前記サーバは、
プレゼンティティのユーザに関する状態を示すプレゼンティティプレゼンス情報を保持するプレゼンス情報保持部と、
前記プレゼンティティプレゼンス情報の通知を要求してきたウォッチャ側端末を予め登録しておくウォッチャリスト保持部と、
前記ウォッチャリスト保持部に登録されているウォッチャ側端末のユーザに関する状態を示すウォッチャプレゼンス情報を受信するプレゼンス情報受信部と、
前記ウォッチャプレゼンス情報の種類と当該ウォッチャプレゼンス情報が示す状態毎に、前記ウォッチャ側端末に通知すべき前記プレゼンティティプレゼンス情報の種類が予め設定されるプレゼンス通知ポリシ保持部と、
前記ウォッチャプレゼンス情報を受信した場合、前記プレゼンス通知ポリシ保持部の設定に基づいて、前記プレゼンス情報保持部に保持される前記プレゼンティティプレゼンス情報の種類を特定するプレゼンス通知ポリシ設定部と、
前記プレゼンス情報保持部に保持される前記プレゼンティティプレゼンス情報のうち、前記プレゼンス通知ポリシ設定部で特定された種類に該当するプレゼンティティプレゼンス情報を、前記ウォッチャリスト保持部に登録されているウォッチャ側端末に対して送信するプレゼンス情報通知部と、
を有することを特徴とするプレゼンスサービスシステム。
【請求項４】
前記プレゼンス通知ポリシ保持部は、
前記プレゼンティティプレゼンス情報の種類と当該プレゼンティティプレゼンス情報が示す状態及び前記ウォッチャプレゼンス情報の種類と当該ウォッチャプレゼンス情報が示す状態毎に、前記ウォッチャ側端末に通知すべき前記プレゼンティティプレゼンス情報の種類が予め設定されており、
前記プレゼンス通知ポリシ設定部は、
前記ウォッチャプレゼンス情報を受信した場合、前記プレゼンス通知ポリシ保持部の設定に基づいて、前記プレゼンス情報保持部に保持される前記プレゼンティティプレゼンス情報の種類を特定し、
前記プレゼンス情報通知部は、
前記プレゼンス情報保持部に保持される前記プレゼンティティプレゼンス情報のうち、前記プレゼンス通知ポリシ設定部で特定された種類に該当するプレゼンティティプレゼンス情報を、前記ウォッチャリスト保持部に登録されているウォッチャ側端末に対して送信する
ことを特徴とする請求項３記載のプレゼンスサービスシステム。
【請求項５】
請求項１または２のいずれか１項に記載のプレゼンスサービスシステムにおいて、前記端末として用いられることを特徴するプレゼンス装置。
【請求項６】
複数の端末同士がネットワークを介して通信を行うことでプレゼンスサービスを実現するプレゼンスサービスシステムを制御する方法であって、
前記端末が、自端末のユーザに関する状態を示す自端末プレゼンス情報を保持するプレゼンス情報保持ステップと、
前記端末が、前記自端末プレゼンス情報の通知を要求してきた他端末を予め登録しておくウォッチャリスト保持ステップと、
前記端末が、前記ウォッチャリスト保持ステップで登録されている他端末のユーザに関する状態を示す他端末プレゼンス情報を受信するプレゼンス情報受信ステップと、
前記端末が、前記他端末プレゼンス情報の種類と当該他端末プレゼンス情報が示す状態毎に、前記他端末に通知すべき前記自端末プレゼンス情報の種類が予め設定されるプレゼンス通知ポリシ保持ステップと、
前記端末が、前記他端末プレゼンス情報を受信した場合、前記プレゼンス通知ポリシ保持ステップの設定に基づいて、前記プレゼンス情報保持ステップで保持される前記自端末プレゼンス情報の種類を特定するプレゼンス通知ポリシ設定ステップと、
前記端末が、前記プレゼンス情報保持ステップで保持される前記自端末プレゼンス情報のうち、前記プレゼンス通知ポリシ設定ステップで特定された種類に該当する自端末プレゼンス情報を、前記ウォッチャリスト保持ステップで登録されている他端末に対して送信するプレゼンス情報通知ステップと、
を含むことを特徴とする方法。
【請求項７】
前記プレゼンス通知ポリシ保持ステップは、
前記自端末プレゼンス情報の種類と当該自端末プレゼンス情報が示す状態及び前記他端末プレゼンス情報の種類と当該他端末プレゼンス情報が示す状態毎に、前記他端末に通知すべき前記自端末プレゼンス情報の種類が予め設定されており、
前記プレゼンス通知ポリシ設定ステップは、
前記他端末プレゼンス情報を受信した場合、前記プレゼンス通知ポリシ保持ステップの設定に基づいて、前記プレゼンス情報保持ステップで保持される前記自端末プレゼンス情報の種類を特定し、
前記プレゼンス情報通知ステップは、
前記プレゼンス情報保持ステップで保持される前記自端末プレゼンス情報のうち、前記プレゼンス通知ポリシ設定ステップで特定された種類に該当する自端末プレゼンス情報を、前記ウォッチャリスト保持ステップで登録されている他端末に対して送信する
ことを特徴とする請求項６記載の方法。
【請求項８】
複数の端末同士がネットワークを介して通信を行うことでプレゼンスサービスを実現し、前記複数の端末同士の通信を中継するサーバを有するプレゼンスサービスシステムを制御する方法であって、
前記サーバが、プレゼンティティのユーザに関する状態を示すプレゼンティティプレゼンス情報を保持するプレゼンス情報保持ステップと、
前記サーバが、前記プレゼンティティプレゼンス情報の通知を要求してきたウォッチャ側端末を予め登録しておくウォッチャリスト保持ステップと、
前記サーバが、前記ウォッチャリスト保持ステップで登録されているウォッチャ側端末のユーザに関する状態を示すウォッチャプレゼンス情報を受信するプレゼンス情報受信ステップと、
前記サーバが、前記ウォッチャプレゼンス情報の種類と当該ウォッチャプレゼンス情報が示す状態毎に、前記ウォッチャ側端末に通知すべき前記プレゼンティティプレゼンス情報の種類が予め設定されるプレゼンス通知ポリシ保持ステップと、
前記サーバが、前記ウォッチャプレゼンス情報を受信した場合、前記プレゼンス通知ポリシ保持の設定に基づいて、前記プレゼンス情報保持ステップで保持される前記プレゼンティティプレゼンス情報の種類を特定するプレゼンス通知ポリシ設定ステップと、
前記プレゼンス情報保持ステップで保持される前記プレゼンティティプレゼンス情報のうち、前記プレゼンス通知ポリシ設定ステップで特定された種類に該当するプレゼンティティプレゼンス情報を、前記ウォッチャリスト保持ステップで登録されているウォッチャ側端末に対して送信するプレゼンス情報通知ステップと、
を含むことを特徴とする方法。
【請求項９】
前記プレゼンス通知ポリシ保持ステップは、
前記プレゼンティティプレゼンス情報の種類と当該プレゼンティティプレゼンス情報が示す状態及び前記ウォッチャプレゼンス情報の種類と当該ウォッチャプレゼンス情報が示す状態毎に、前記ウォッチャ側端末に通知すべき前記プレゼンティティプレゼンス情報の種類が予め設定され、
前記プレゼンス通知ポリシ設定ステップは、
前記ウォッチャプレゼンス情報を受信した場合、前記プレゼンス通知ポリシ保持ステップの設定に基づいて、前記プレゼンス情報保持ステップで保持される前記プレゼンティティプレゼンス情報の種類を特定し、
前記プレゼンス情報通知ステップは、
前記プレゼンス情報保持ステップで保持される前記プレゼンティティプレゼンス情報のうち、前記プレゼンス通知ポリシ設定ステップで特定された種類に該当するプレゼンティティプレゼンス情報を、前記ウォッチャリスト保持ステップで登録されているウォッチャ側端末に対して送信する
ことを特徴とする請求項８記載の方法。
【請求項１０】
複数の端末同士がネットワークを介して通信を行うことでプレゼンスサービスを実現するプレゼンスサービスシステムにおける端末としてコンピュータを機能させるプログラムであって、前記コンピュータに、
自端末のユーザに関する状態を示す自端末プレゼンス情報を保持するプレゼンス情報保持処理、
前記自端末プレゼンス情報の通知を要求してきた他端末を予め登録しておくウォッチャリスト保持処理、
前記ウォッチャリスト保持処理で登録されている他端末のユーザに関する状態を示す他端末プレゼンス情報を受信するプレゼンス情報受信処理、
前記他端末プレゼンス情報の種類と当該他端末プレゼンス情報が示す状態毎に、前記他端末に通知すべき前記自端末プレゼンス情報の種類が予め設定されるプレゼンス通知ポリシ保持処理、
前記他端末プレゼンス情報を受信した場合、前記プレゼンス通知ポリシ保持処理の設定に基づいて、前記プレゼンス情報保持処理で保持される前記自端末プレゼンス情報の種類を特定するプレゼンス通知ポリシ設定処理、
前記プレゼンス情報保持処理で保持される前記自端末プレゼンス情報のうち、前記プレゼンス通知ポリシ設定処理で特定された種類に該当する自端末プレゼンス情報を、前記ウォッチャリスト保持処理で登録されている他端末に対して送信するプレゼンス情報通知処理、
を実行させるためのプログラム。
【請求項１１】
前記プレゼンス通知ポリシ保持処理は、
前記自端末プレゼンス情報の種類と当該自端末プレゼンス情報が示す状態及び前記他端末プレゼンス情報の種類と当該他端末プレゼンス情報が示す状態毎に、前記他端末に通知すべき前記自端末プレゼンス情報の種類が予め設定されており、
前記プレゼンス通知ポリシ設定処理は、
前記他端末プレゼンス情報を受信した場合、前記プレゼンス通知ポリシ保持処理の設定に基づいて、前記プレゼンス情報保持処理で保持される前記自端末プレゼンス情報の種類を特定し、
前記プレゼンス情報通知処理は、
前記プレゼンス情報保持処理で保持される前記自端末プレゼンス情報のうち、前記プレゼンス通知ポリシ設定処理で特定された種類に該当する自端末プレゼンス情報を、前記ウォッチャリスト保持処理で登録されている他端末に対して送信する
ことを特徴とする請求項１０記載のプログラム。
【請求項１２】
複数の端末同士がネットワークを介して通信を行うことでプレゼンスサービスを実現し、前記複数の端末同士の通信を中継するサーバを有するプレゼンスサービスシステムにおけるサーバとしてコンピュータを機能させるプログラムであって、前記コンピュータに、
プレゼンティティのユーザに関する状態を示すプレゼンティティプレゼンス情報を保持するプレゼンス情報保持処理、
前記プレゼンティティプレゼンス情報の通知を要求してきたウォッチャ側端末を予め登録しておくウォッチャリスト保持処理、
前記ウォッチャリスト保持処理で登録されているウォッチャ側端末のユーザに関する状態を示すウォッチャプレゼンス情報を受信するプレゼンス情報受信処理、
前記ウォッチャプレゼンス情報の種類と当該ウォッチャプレゼンス情報が示す状態毎に、前記ウォッチャ側端末に通知すべき前記プレゼンティティプレゼンス情報の種類が予め設定されるプレゼンス通知ポリシ保持処理、
前記ウォッチャプレゼンス情報を受信した場合、前記プレゼンス通知ポリシ保持処理の設定に基づいて、前記プレゼンス情報保持処理で保持される前記プレゼンティティプレゼンス情報の種類を特定するプレゼンス通知ポリシ設定処理、
前記プレゼンス情報保持処理で保持される前記プレゼンティティプレゼンス情報のうち、前記プレゼンス通知ポリシ設定処理で特定された種類に該当するプレゼンティティプレゼンス情報を、前記ウォッチャリスト保持処理で登録されているウォッチャ側端末に対して送信するプレゼンス情報通知処理、
を実行させるためのプログラム。
【請求項１３】
前記プレゼンス通知ポリシ保持処理は、
前記プレゼンティティプレゼンス情報の種類と当該プレゼンティティプレゼンス情報が示す状態及び前記ウォッチャプレゼンス情報の種類と当該ウォッチャプレゼンス情報が示す状態毎に、前記ウォッチャ側端末に通知すべき前記プレゼンティティプレゼンス情報の種類が予め設定されており、
前記プレゼンス通知ポリシ設定処理は、
前記ウォッチャプレゼンス情報を受信した場合、前記プレゼンス通知ポリシ保持処理の設定に基づいて、前記プレゼンス情報保持処理で保持される前記プレゼンティティプレゼンス情報の種類を特定し、
前記プレゼンス情報通知処理は、
前記プレゼンス情報保持処理で保持される前記プレゼンティティプレゼンス情報のうち、前記プレゼンス通知ポリシ設定処理で特定された種類に該当するプレゼンティティプレゼンス情報を、前記ウォッチャリスト保持処理で登録されているウォッチャ側端末に対して送信する
ことを特徴とする請求項１２記載のプログラム。
【請求項１４】
請求項３または４のいずれか１項に記載のプレゼンスサービスシステムにおいて、前記サーバとして用いられることを特徴するプレゼンス装置。
【発明の詳細な説明】
【技術分野】
【０００１】
本発明は、プレゼンスサービスにおいて、状況変化に応じたプレゼンス通知ポリシを設定するプレゼンスサービスシステム、プレゼンス装置、プレゼンスサービス方法、及びプログラムに関する。
【背景技術】
【０００２】
プレゼンスサービスとは、人やモノ、サービス等の状態（プレゼンス）をプレゼンス情報として交換するサービスであり、その基本的なアーキテクチャは非特許文献１に示されている。プレゼンスサービスを利用するクライアントには、ユーザなどのプレゼンス情報を提供するプレゼンティティ（情報配信側）と、そのプレゼンス情報を観察するウォッチャ（情報受信側）の２タイプがある。プレゼンスサービスは、プレゼンティティからプレゼンス情報を受け取り、これをウォッチャに配信するサービスである。
【０００３】
ユーザが情報処理端末装置（以下、プレゼンスクライアント端末という）を使ってプレゼンス情報を提供する際、ユーザがユーザ自身のプライバシを守るためには、ウォッチャからのサブスクライブ要求を拒否したり、ウォッチャに通知するプレゼンス情報の内容の一部を隠蔽したり、あいまいな内容に変換するなどの処理を、プレゼンスクライアント端末、もしくはプレゼンスクライアント端末と通信を行うサーバ装置（以下、プレゼンスサービスサーバという）において実施する必要がある。このようなアクセス制御処理は、所定のポリシに従って行われる。このポリシをプレゼンス通知ポリシと呼ぶ。ユーザは、プレゼンス通知ポリシをあらかじめ設定しておく必要がある。
【０００４】
このプレゼンス通知ポリシを設定する従来の一般的な方法には、ウォッチャの識別子とプレゼンス通知ポリシとを関連付ける方法や、あらかじめウォッチャの識別子を登録したグループを作成しておき、グループとプレゼンス通知ポリシとを関連付ける方法がある。しかし、従来の方法は、ウォッチャの識別子や所属ドメインに対してプレゼンス通知ポリシを設定するため、ウォッチャの識別子や所属ドメインがわからなければ、プレゼンス通知ポリシを設定できないという問題があった。また、新しいウォッチャが現れると、その都度、ウォッチャとプレゼンス通知ポリシの関連付け操作やグループ登録操作等を行ってプレゼンス通知ポリシを割り当てる必要があったため、ユーザに対する負担が大きいという問題があった。
【０００５】
プレゼンスサービスに係る従来技術例として、情報提供事業者が情報配信先のユーザに条件を指定できるとともに、ユーザも情報や情報提供事業者の条件を指定でき、かつ、これらの条件が頻繁に変化することを想定した情報配信を可能とする「プレゼンス管理装置」がある（例えば、特許文献１参照）。
【特許文献１】特開２００５−１０８７４号公報
【非特許文献１】IETF RFC2778 http://www.ietf.org/rfc/rfc2778.txt
【発明の開示】
【発明が解決しようとする課題】
【０００６】
しかしながら、特許文献１記載の発明は、情報配信に係る条件のみの登録についての発明であり、条件と、プレゼンス情報の通知方法とを組として登録しておき、どの条件を満たしたかによって通知方法を変えることはできない。また、特許文献１記載の発明は、情報配信側と情報受信側とで相互に条件を指定するものであるので、情報配信側のプライバシの保護が十分でない。
【０００７】
本発明は、上記事情に鑑みてなされたものであり、プレゼンティティやウォッチャのプレゼンス情報に応じてプレゼンス通知ポリシを自動的に選択することにより、ユーザによるプレゼンス通知ポリシ設定の負担を軽減できるプレゼンスサービスシステム、プレゼンス装置、プレゼンスサービス方法、及びプログラムを提供することを目的とする。
【課題を解決するための手段】
【０００８】
かかる目的を達成するために、本発明のプレゼンスサービスシステムは、その態様において、複数の端末同士がネットワークを介して通信を行うことでプレゼンスサービスを実現するプレゼンスサービスシステムであって、前記端末は、自端末のユーザに関する状態を示す自端末プレゼンス情報を保持するプレゼンス情報保持部と、前記自端末プレゼンス情報の通知を要求してきた他端末を予め登録しておくウォッチャリスト保持部と、前記ウォッチャリスト保持部に登録されている他端末のユーザに関する状態を示す他端末プレゼンス情報を受信するプレゼンス情報受信部と、前記他端末プレゼンス情報の種類と当該他端末プレゼンス情報が示す状態毎に、前記他端末に通知すべき前記自端末プレゼンス情報の種類が予め設定されるプレゼンス通知ポリシ保持部と、前記他端末プレゼンス情報を受信した場合、前記プレゼンス通知ポリシ保持部の設定に基づいて、前記プレゼンス情報保持部に保持される前記自端末プレゼンス情報の種類を特定するプレゼンス通知ポリシ設定部と、前記プレゼンス情報保持部に保持される前記自端末プレゼンス情報のうち、前記プレゼンス通知ポリシ設定部で特定された種類に該当する自端末プレゼンス情報を、前記ウォッチャリスト保持部に登録されている他端末に対して送信するプレゼンス情報通知部と、を有することを特徴とする。
【０００９】
また、本発明のプレゼンスサービスシステムは、その態様において、複数の端末同士がネットワークを介して通信を行うことでプレゼンスサービスを実現し、前記複数の端末同士の通信を中継するサーバを有するプレゼンスサービスシステムであって、前記サーバは、プレゼンティティのユーザに関する状態を示すプレゼンティティプレゼンス情報を保持するプレゼンス情報保持部と、前記プレゼンティティプレゼンス情報の通知を要求してきたウォッチャ側端末を予め登録しておくウォッチャリスト保持部と、前記ウォッチャリスト保持部に登録されているウォッチャ側端末のユーザに関する状態を示すウォッチャプレゼンス情報を受信するプレゼンス情報受信部と、前記ウォッチャプレゼンス情報の種類と当該ウォッチャプレゼンス情報が示す状態毎に、前記ウォッチャ側端末に通知すべき前記プレゼンティティプレゼンス情報の種類が予め設定されるプレゼンス通知ポリシ保持部と、前記ウォッチャプレゼンス情報を受信した場合、前記プレゼンス通知ポリシ保持部の設定に基づいて、前記プレゼンス情報保持部に保持される前記プレゼンティティプレゼンス情報の種類を特定するプレゼンス通知ポリシ設定部と、前記プレゼンス情報保持部に保持される前記プレゼンティティプレゼンス情報のうち、前記プレゼンス通知ポリシ設定部で特定された種類に該当するプレゼンティティプレゼンス情報を、前記ウォッチャリスト保持部に登録されているウォッチャ側端末に対して送信するプレゼンス情報通知部と、を有することを特徴とする。
【００１０】
また、本発明のプレゼンスサービスシステムを制御する方法は、その態様において、複数の端末同士がネットワークを介して通信を行うことでプレゼンスサービスを実現するプレゼンスサービスシステムを制御する方法であって、前記端末が、自端末のユーザに関する状態を示す自端末プレゼンス情報を保持するプレゼンス情報保持ステップと、前記端末が、前記自端末プレゼンス情報の通知を要求してきた他端末を予め登録しておくウォッチャリスト保持ステップと、前記端末が、前記ウォッチャリスト保持ステップで登録されている他端末のユーザに関する状態を示す他端末プレゼンス情報を受信するプレゼンス情報受信ステップと、前記端末が、前記他端末プレゼンス情報の種類と当該他端末プレゼンス情報が示す状態毎に、前記他端末に通知すべき前記自端末プレゼンス情報の種類が予め設定されるプレゼンス通知ポリシ保持ステップと、前記端末が、前記他端末プレゼンス情報を受信した場合、前記プレゼンス通知ポリシ保持ステップの設定に基づいて、前記プレゼンス情報保持ステップで保持される前記自端末プレゼンス情報の種類を特定するプレゼンス通知ポリシ設定ステップと、前記端末が、前記プレゼンス情報保持ステップで保持される前記自端末プレゼンス情報のうち、前記プレゼンス通知ポリシ設定ステップで特定された種類に該当する自端末プレゼンス情報を、前記ウォッチャリスト保持ステップで登録されている他端末に対して送信するプレゼンス情報通知ステップと、を含むことを特徴とする。
【００１１】
また、本発明のプレゼンスサービスシステムを制御する方法は、その態様において、複数の端末同士がネットワークを介して通信を行うことでプレゼンスサービスを実現し、前記複数の端末同士の通信を中継するサーバを有するプレゼンスサービスシステムを制御する方法であって、前記サーバが、プレゼンティティのユーザに関する状態を示すプレゼンティティプレゼンス情報を保持するプレゼンス情報保持ステップと、前記サーバが、前記プレゼンティティプレゼンス情報の通知を要求してきたウォッチャ側端末を予め登録しておくウォッチャリスト保持ステップと、前記サーバが、前記ウォッチャリスト保持ステップで登録されているウォッチャ側端末のユーザに関する状態を示すウォッチャプレゼンス情報を受信するプレゼンス情報受信ステップと、前記サーバが、前記ウォッチャプレゼンス情報の種類と当該ウォッチャプレゼンス情報が示す状態毎に、前記ウォッチャ側端末に通知すべき前記プレゼンティティプレゼンス情報の種類が予め設定されるプレゼンス通知ポリシ保持ステップと、
前記サーバが、前記ウォッチャプレゼンス情報を受信した場合、前記プレゼンス通知ポリシ保持の設定に基づいて、前記プレゼンス情報保持ステップで保持される前記プレゼンティティプレゼンス情報の種類を特定するプレゼンス通知ポリシ設定ステップと、前記プレゼンス情報保持ステップで保持される前記プレゼンティティプレゼンス情報のうち、前記プレゼンス通知ポリシ設定ステップで特定された種類に該当するプレゼンティティプレゼンス情報を、前記ウォッチャリスト保持ステップで登録されているウォッチャ側端末に対して送信するプレゼンス情報通知ステップと、を含むことを特徴とする。
【００１２】
また、本発明のプレゼンスサービスシステムにおける端末としてコンピュータを機能させるプログラムは、その態様において、複数の端末同士がネットワークを介して通信を行うことでプレゼンスサービスを実現するプレゼンスサービスシステムにおける端末としてコンピュータを機能させるプログラムであって、前記コンピュータに、自端末のユーザに関する状態を示す自端末プレゼンス情報を保持するプレゼンス情報保持処理、前記自端末プレゼンス情報の通知を要求してきた他端末を予め登録しておくウォッチャリスト保持処理、前記ウォッチャリスト保持処理で登録されている他端末のユーザに関する状態を示す他端末プレゼンス情報を受信するプレゼンス情報受信処理、前記他端末プレゼンス情報の種類と当該他端末プレゼンス情報が示す状態毎に、前記他端末に通知すべき前記自端末プレゼンス情報の種類が予め設定されるプレゼンス通知ポリシ保持処理、前記他端末プレゼンス情報を受信した場合、前記プレゼンス通知ポリシ保持処理の設定に基づいて、前記プレゼンス情報保持処理で保持される前記自端末プレゼンス情報の種類を特定するプレゼンス通知ポリシ設定処理、前記プレゼンス情報保持処理で保持される前記自端末プレゼンス情報のうち、前記プレゼンス通知ポリシ設定処理で特定された種類に該当する自端末プレゼンス情報を、前記ウォッチャリスト保持処理で登録されている他端末に対して送信するプレゼンス情報通知処理、を実行させる。

【００１３】
また、本発明のプレゼンスサービスシステムにおける端末としてコンピュータを機能させるプログラムは、その態様において、複数の端末同士がネットワークを介して通信を行うことでプレゼンスサービスを実現し、前記複数の端末同士の通信を中継するサーバを有するプレゼンスサービスシステムにおけるサーバとしてコンピュータを機能させるプログラムであって、前記コンピュータに、プレゼンティティのユーザに関する状態を示すプレゼンティティプレゼンス情報を保持するプレゼンス情報保持処理、前記プレゼンティティプレゼンス情報の通知を要求してきたウォッチャ側端末を予め登録しておくウォッチャリスト保持処理、前記ウォッチャリスト保持処理で登録されているウォッチャ側端末のユーザに関する状態を示すウォッチャプレゼンス情報を受信するプレゼンス情報受信処理、前記ウォッチャプレゼンス情報の種類と当該ウォッチャプレゼンス情報が示す状態毎に、前記ウォッチャ側端末に通知すべき前記プレゼンティティプレゼンス情報の種類が予め設定されるプレゼンス通知ポリシ保持処理、前記ウォッチャプレゼンス情報を受信した場合、前記プレゼンス通知ポリシ保持処理の設定に基づいて、前記プレゼンス情報保持処理で保持される前記プレゼンティティプレゼンス情報の種類を特定するプレゼンス通知ポリシ設定処理、前記プレゼンス情報保持処理で保持される前記プレゼンティティプレゼンス情報のうち、前記プレゼンス通知ポリシ設定処理で特定された種類に該当するプレゼンティティプレゼンス情報を、前記ウォッチャリスト保持処理で登録されているウォッチャ側端末に対して送信するプレゼンス情報通知処理、を実行させる。
【発明の効果】
【００４５】
本発明によれば、ユーザによるプレゼンス通知ポリシ設定の負担を軽減することが可能となる。
【発明を実施するための最良の形態】
【００４６】
以下、本発明を実施するための最良の形態について添付図面を参照して詳細に説明する。
【００４７】
本発明は、プレゼンス情報に関する条件に対応してプレゼンス通知ポリシを登録しておき、プレゼンティティやウォッチャのプレゼンス情報に応じてプレゼンス通知ポリシを自動的に設定するものである。これによって、ユーザによるプレゼンス通知ポリシ設定の負担を軽減することができる。
【００４８】
詳細には、所定の条件とプレゼンス通知ポリシとを関連付けて登録しておき、ユーザ自身のプレゼンス情報や、他ユーザのプレゼンス情報が、条件を満たすかどうかを判定する。満たされた条件に関連付けられているプレゼンス通知ポリシをすべてのウォッチャに適用する。又は、条件を満たすプレゼンス情報を持っているウォッチャだけにプレゼンス通知ポリシを適用する。
【実施例１】
【００４９】
図１に本発明の実施例１の構成を示す。本実施例は、プレゼンスサービスサーバ２と、ユーザによって使用されるプレゼンスクライアント端末１と、ネットワークと、からなる。なお、図１に示すように、複数のプレゼンスクライアント端末と、プレゼンスサービスサーバ２とがネットワークに接続されている。
【００５０】
プレゼンスサービスサーバ２は、プレゼンスサービスを実行するためにプレゼンティティからウォッチャにプレゼンス情報を配信するサーバ装置である。
【００５１】
プレゼンスクライアント端末１は、プレゼンティティ及びウォッチャの機能（プレゼンス情報の送受信機能）を有する情報処理端末装置であり、プレゼンス情報保持部３、プレゼンス通知ポリシ保持部４、プレゼンス通知ポリシ設定部５、プレゼンス情報通知部６、ウォッチャリスト保持部７を有している。なお、上記各部３〜７をプレゼンスサービスサーバ２に備える構成にして、プレゼンスサービスサーバ２にて、以下に説明する処理動作をプログラム制御によって行うようにしてもよい。
【００５２】
プレゼンス情報保持部３は、プレゼンティティの現在のプレゼンス情報を保持している。プレゼンス通知ポリシ保持部４は、条件と、その条件に対応して登録されたプレゼンス通知ポリシとを保持している。プレゼンス通知ポリシ設定部５は、プレゼンス情報保持部３から取得したプレゼンス情報が、プレゼンス通知ポリシ保持部４の各条件を満たすかどうかを判定する。所定の条件を満たしている場合は、その条件に対応して登録されているプレゼンス通知ポリシをプレゼンス情報通知部６に渡す。
【００５３】
プレゼンス情報通知部６は、プレゼンスサービスサーバ２を介して、ウォッチャにプレゼンス情報を通知する。プレゼンス情報通知部６は、プレゼンス情報をプレゼンス情報保持部３から取得する。ここで、通知するプレゼンス情報の内容について、プレゼンス通知ポリシに従って項目の削除や変更をすることができる。また、プレゼンス情報の通知は、プレゼンス情報保持部３に保持されるプレゼンス情報が更新されたとき、又は、新しいプレゼンス通知ポリシがプレゼンス通知ポリシ設定部５からプレゼンス情報通知部６に渡されたときに行う。
【００５４】
実施例１の動作について説明する。プレゼンスクライアント端末１は、プログラム制御により以下の処理を実行する。
【００５５】
プレゼンスクライアント端末１のユーザであるユーザＡは、プレゼンスクライアント端末１において、基本プレゼンス情報、仕事プレゼンス情報、位置プレゼンス情報を持っているものとする。基本プレゼンス情報は、クライアント端末１が「オンライン」か「オフライン」のどちらであるかを示す。仕事プレゼンス情報は、ユーザＡが「仕事中」か「プライベート」のどちらであるかを示す。位置プレゼンス情報は、ユーザＡの現在位置を示す。
【００５６】
〈ステップ１〉
本実施例では、ユーザＡのプレゼンス情報は、例えば「オンライン,プライベート,東京」とする。プレゼンスクライアント端末１のプレゼンス情報保持部３には、このプレゼンス情報が格納されている。
【００５７】
〈ステップ２〉
ユーザＡはプレゼンスクライアント端末１においてプレゼンス通知ポリシを登録する。プレゼンスクライアント端末１のプレゼンス通知ポリシ保持部４には、例えば、条件１「仕事プレゼンス情報＝仕事中」に対応するプレゼンス通知ポリシ１として「基本プレゼンス情報と位置プレゼンス情報とを通知」が登録され、次に、条件２「仕事プレゼンス情報＝プライベート」に対応するプレゼンス通知ポリシ２として「基本プレゼンス情報を通知」が登録される。
【００５８】
〈ステップ３〉
プレゼンスクライアント端末１のプレゼンス通知ポリシ設定部５は、プレゼンス情報保持部３からユーザＡのプレゼンス情報「オンライン,プライベート,東京」を取り出し、プレゼンス通知ポリシ保持部４の条件を満たすかどうかを判定する。ユーザＡのプレゼンス情報は、条件２「仕事プレゼンス情報＝プライベート」を満たしているため、この条件２に対応するプレゼンス通知ポリシ２「基本プレゼンス情報を通知」がプレゼンス情報通知部６に渡される。
【００５９】
〈ステップ４〉
プレゼンス情報通知部６は、渡されたプレゼンス通知ポリシ２「基本プレゼンス情報を通知」に従って、プレゼンス情報保持部３のプレゼンス情報「オンライン,プライベート,東京」からポリシ適用後のプレゼンス情報「オンライン」を作成して保持しておく。なお、この時点では、ユーザＡのウォッチャは１人も登録されていないため、プレゼンス情報通知部６は、プレゼンス情報の通知を行わない。
【００６０】
〈ステップ５〉
ユーザＢ（プレゼンスクライアント端末１以外の端末）がユーザＡのプレゼンス情報に対してサブスクライブ要求を行う。プレゼンスクライアント端末１のプレゼンス情報通知部６がサブスクライブ要求を受信し、ウォッチャリスト保持部７に新たにユーザＢを登録する。また、プレゼンス情報通知部６は、ポリシ適用後のプレゼンス情報「オンライン」をユーザＢに通知する。
【００６１】
〈ステップ６〉
ここで、ユーザＡはプレゼンス情報を「オンライン,プライベート,東京」から「オンライン,仕事中,東京」に変更したとする。
【００６２】
〈ステップ７〉
ステップ３と同様の処理を実行する。ユーザＡのプレゼンス情報は、条件１「仕事プレゼンス情報＝仕事中」を満たしているため、これに対応するプレゼンス通知ポリシ１「基本プレゼンス情報と位置プレゼンス情報とを通知」がプレゼンス情報通知部６に渡される。
【００６３】
〈ステップ８〉
プレゼンス情報通知部６は、渡されたプレゼンス通知ポリシ１「基本プレゼンス情報と位置プレゼンス情報とを通知」に従って、プレゼンス情報保持部３のプレゼンス情報「オンライン,仕事中,東京」からポリシ適用後のプレゼンス情報「オンライン,東京」を作成して、ウォッチャリスト保持部７に登録されているすべてのウォッチャ（ここではユーザＢ）に通知する。
【００６４】
〈ステップ９〉
ユーザＡがプレゼンス情報を変更すると、ステップ６,７,８と同様の処理を繰り返す。
【００６５】
〈ステップ１０〉
ユーザＢはサブスクライブの解除要求を行うと、ユーザＢへのプレゼンス情報の通知は行われなくなる。
【００６６】
なお、本実施例では、ユーザＡとユーザＢのプレゼントクライアント端末は、それぞれ、プレゼンティティおよびウォッチャの機能を有するものとして説明したが、例えば、ユーザＡのプレゼンスクライアント端末はプレゼンティティの機能、ユーザＢのプレゼンスクライアント端末はウォッチャの機能だけを有するものでもよい。
【実施例２】
【００６７】
図２に本発明の実施例２の構成を示す。本実施例は、プレゼンスサービスサーバ２と、プレゼンスサービスサーバ２から提供されるサービスを利用するプレゼンスクライアント端末１と、ネットワークと、からなる。なお、図２に示すように、複数のプレゼンスクライアント端末と、プレゼンスサービスサーバ２とがネットワークに接続されている。
【００６８】
プレゼンスサービスサーバ２は、プレゼンティティからウォッチャにプレゼンス情報を配信するサービスを提供するサーバ装置である。
【００６９】
プレゼンスクライアント端末１は、プレゼンティティとウォッチャの機能を有する情報処理端末装置であり、プレゼンス情報保持部３、プレゼンス通知ポリシ保持部４、プレゼンス通知ポリシ設定部５、プレゼンス情報通知部６、ウォッチャリスト保持部７、プレゼンス情報受信部８を有している。なお、上記各部３〜８をプレゼンスサービスサーバ２に備える構成にして、プレゼンスサービスサーバ２にて、以下に説明する処理動作をプログラム制御によって行うようにしてもよい。
【００７０】
プレゼンス情報保持部３は、プレゼンティティの現在のプレゼンス情報を保持している。プレゼンス通知ポリシ保持部４は、条件と、その条件に対応して登録されたプレゼンス通知ポリシとを保持している。プレゼンス通知ポリシ設定部５は、プレゼンス情報受信部８から取得したウォッチャのプレゼンス情報が、プレゼンス通知ポリシ保持部４の各条件を満たすかどうかを判定する。条件を満たしている場合は、条件に対応して登録されているプレゼンス通知ポリシとウォッチャ識別子とをプレゼンス情報通知部６に渡す。
【００７１】
プレゼンス情報通知部６は、プレゼンスサービスサーバ２を利用して、ウォッチャにプレゼンス情報を通知する。通知されるプレゼンス情報はプレゼンス情報保持部３から取得する。通知されるプレゼンス情報の内容は、プレゼンス通知ポリシに従って項目の削除や変更をすることができる。また、通知は、プレゼンス情報受信部８のプレゼンス情報が更新されたとき、又は、プレゼンス通知ポリシ設定部５から新しいプレゼンス通知ポリシとウォッチャ識別子が渡されたときに行う。特に本実施例では、ウォッチャ毎に異なるプレゼンス情報を通知することができる。
【００７２】
ウォッチャリスト保持部７は、プレゼンティティのプレゼンス情報にサブスクライブ要求を行っているウォッチャ識別子を保持する。
【００７３】
プレゼンス情報受信部８は、プレゼンスサービスサーバ２を経由して通知されたプレゼンティティのプレゼンス情報を受信する機能を持つ。ウォッチャリスト保持部７にアクセスして、プレゼンティティ識別子がウォッチャリストにも含まれる場合は、受信したプレゼンス情報をウォッチャのプレゼンス情報として保持することができる。
【００７４】
実施例２の動作を説明する。本実施例では、ユーザＡと、ユーザＢと、ユーザＣの各々が、基本プレゼンス情報、仕事プレゼンス情報、及び位置プレゼンス情報を持っている。ユーザＢとユーザＣのプレゼンスクライアント端末は、図２に示す複数の端末のうちのいずれかであり、ユーザＡのプレゼンスクライアント端末１と同じ構成である。
【００７５】
〈ステップ１〉
ユーザＡのプレゼンス情報は「オンライン,仕事中,東京」である。この時点ではユーザＡにサブスクライブしているウォッチャは一人もいないため、ウォッチャリスト保持部７にはウォッチャの識別子が登録されていない。
【００７６】
〈ステップ２〉
また、ユーザＢのプレゼンス情報は「オンライン,プライベート,名古屋」である。ユーザＣのプレゼンス情報は「オンライン,仕事中,大阪」である。
【００７７】
〈ステップ３〉
ユーザＡはプレゼンス通知ポリシを登録する。ユーザＡのプレゼンスクライアント端末１のプレゼンス通知ポリシ保持部４に、条件３「ウォッチャの仕事プレゼンス情報＝仕事中」に対応してプレゼンス通知ポリシ３「基本プレゼンス情報と位置プレゼンス情報を通知」が登録される。次に、条件４「ウォッチャの仕事プレゼンス情報＝プライベート」に対応してプレゼンス通知ポリシ４「基本プレゼンス情報を通知」が登録される。
【００７８】
〈ステップ４〉
ユーザＢがユーザＡのプレゼンス情報に対してサブスクライブ要求を行う。ユーザＡのプレゼンスクライアント端末１のプレゼンス情報通知部６がサブスクライブ要求を受信し、ウォッチャリスト保持部７に新たにユーザＢを登録する。
【００７９】
〈ステップ５〉
ユーザＢは、ユーザＡにプレゼンス情報を通知する。ユーザＡのプレゼンス情報受信部８は、ユーザＢのプレゼンス情報「オンライン,プライベート,名古屋」を受信する。ユーザＢの識別子はウォッチャリスト保持部７に登録されているため、受け取ったプレゼンス情報を保持する。
【００８０】
〈ステップ６〉
ユーザＡのプレゼンス通知ポリシ設定部５は、プレゼンス情報受信部８からユーザＢのプレゼンス情報「オンライン,プライベート,名古屋」を取り出し、プレゼンス通知ポリシ保持部４の条件を満たすかどうかを判定する。ユーザＢのプレゼンス情報は、条件４「ウォッチャの仕事プレゼンス情報＝プライベート」を満たしているため、これに対応するプレゼンス通知ポリシ４「基本プレゼンス情報を通知」とユーザＢの識別子がプレゼンス情報通知部６に渡される。
【００８１】
〈ステップ７〉
ユーザＡのプレゼンス情報通知部６は、渡されたプレゼンス通知ポリシ４「基本プレゼンス情報を通知」に従って、プレゼンス情報保持部３のプレゼンス情報「オンライン,仕事中,東京」からポリシ適用後のプレゼンス情報「オンライン」を作成して、ユーザＢに通知する。
【００８２】
〈ステップ８〉
ユーザＢがプレゼンス情報を変更すると、ステップ５,６,７と同様の処理を繰り返す。
【００８３】
〈ステップ９〉
ステップ４と同様に、ユーザＣがユーザＡのプレゼンス情報に対してサブスクライブ要求を行う。
【００８４】
〈ステップ１０〉
ステップ５と同様に、ユーザＡのプレゼンス情報受信部８がユーザＣのプレゼンス情報を受信して保持する。
【００８５】
〈ステップ１１〉
ステップ６と同様に、ユーザＡのプレゼンス通知ポリシ設定部５は、プレゼンス情報受信部８からユーザＣのプレゼンス情報「オンライン,仕事中,大阪」を取り出し、プレゼンス通知ポリシ保持部４の条件を満たすかどうかを判定する。ユーザＣのプレゼンス情報は、条件３「ウォッチャの仕事プレゼンス情報＝仕事中」を満たしているため、これに対応するプレゼンス通知ポリシ３「基本プレゼンス情報と位置プレゼンス情報を通知」と、ユーザＣの識別子がプレゼンス情報通知部６に渡される。
【００８６】
〈ステップ１２〉
ステップ７と同様に、ユーザＡのプレゼンス情報通知部６は、渡されたプレゼンス通知ポリシ３「基本プレゼンス情報と位置プレゼンス情報を通知」に従って、プレゼンス情報保持部３のプレゼンス情報「オンライン,仕事中,東京」からポリシ適用後のプレゼンス情報「オンライン,東京」を作成して、ユーザＣに通知する。
【００８７】
〈ステップ１３〉
ユーザＣがプレゼンス情報を変更すると、ステップ１０,１１,１２と同様の処理を繰り返す。
【実施例３】
【００８８】
本発明の実施例３では、プレゼンティティのプレゼンス情報に関する条件と、ウォッチャのプレゼンス情報に関する条件を組み合わせた条件に対してプレゼンス通知ポリシを設定し、プレゼンティティのプレゼンス情報とウォッチャのプレゼンス情報に応じて、プレゼンス通知ポリシを選択することができる。本実施例の構成を図３に示す。本実施例の構成は、プレゼンス通知ポリシ設定部５とプレゼンス情報通知部６とを除いて、本発明の実施例２と同様である。
【００８９】
本実施例における、プレゼンス通知ポリシ設定部５は、プレゼンス情報保持部３から取得したプレゼンティティのプレゼンス情報と、プレゼンス情報受信部８から取得したウォッチャのプレゼンス情報とが、プレゼンス通知ポリシ保持部４にある、プレゼンティティのプレゼンス情報に関する条件とウォッチャのプレゼンス情報に関する条件とを組み合わせた条件を満たすかどうかを判定する。プレゼンティティのプレゼンス情報とウォッチャのプレゼンス情報が条件を満たしている場合は、条件に対応して登録されているプレゼンス通知ポリシとウォッチャ識別子とをプレゼンス情報通知部６に渡す。
【００９０】
本実施例における、プレゼンス情報通知部６は、プレゼンスサービスサーバ２を利用して、ウォッチャにプレゼンス情報を通知する。通知されるプレゼンス情報はプレゼンス情報保持部３から取得する。通知されるプレゼンス情報の内容は、プレゼンス通知ポリシに従って項目の削除や変更をすることができる。また、通知は、プレゼンス情報受信部８に保持されているウォッチャのプレゼンス情報が更新されたとき、又は、プレゼンス情報保持部３に保持されているプレゼンティティのプレゼンス情報が更新されたとき、又は、プレゼンス通知ポリシ設定部５から新しいプレゼンス通知ポリシとウォッチャ識別子が渡されたときに行う。特に本実施例では、ウォッチャ毎に異なるプレゼンス情報を通知することができる。
【００９１】
本実施例によれば、例えば、条件「プレゼンティティの仕事プレゼンス情報＝仕事中 AND ウォッチャの仕事プレゼンス情報＝仕事中」に対応して、プレゼンス通知ポリシ「基本プレゼンス情報と位置プレゼンス情報を通知」を登録することができる。ユーザの仕事プレゼンス情報が「仕事中」であるときは、仕事プレゼンスが「仕事中」であるウォッチャに対して、基本プレゼンス情報と位置プレゼンス情報を通知することができる。
【実施例４】
【００９２】
本発明の実施例４として、条件「プレゼンティティの位置プレゼンス情報＝ウォッチャの位置プレゼンス情報」に対応して、プレゼンス通知ポリシ「基本プレゼンス情報と仕事プレゼンスと位置プレゼンス情報を通知」を登録することも考えられる。この例では、ユーザは、自分と同じ位置プレゼンスを公開しているウォッチャに基本・仕事・位置プレゼンス情報を公開することができる。本実施例では、ユーザがどのような位置プレゼンス情報を持つ場合であっても、同じ位置プレゼンス情報を公開するウォッチャに対するプレゼンス通知ポリシを、簡単に設定することができる。
【００９３】
なお、上記実施例１〜４では、ネットワークに接続しているプレゼンスサービスサーバ２を利用して、プレゼンティティからウォッチャにプレゼンス情報を通知しているものとして説明したが、プレゼンスサービスサーバ２を使わず、プレゼンスクライアント端末同士が直接ネットワークを介してプレゼンス情報を通知するものでもよい。
【００９４】
また、上記実施例１〜４の説明で用いたプレゼンス通知ポリシは、ウォッチャに通知するプレゼンス情報の指定するものであったが、この他にも、あるプレゼンス情報を別のプレゼンス情報に置き換えて通知することを指定するポリシや、詳細なプレゼンス情報をあいまいなプレゼンス情報に変換して通知することを指定するポリシであってもよい。このようなポリシは、特に、プレゼンス情報の通知を拒否していることを相手に知られたくない場合に有効である。
【００９５】
以上のことから、上記実施例１〜４によれば、第１の効果として、ユーザによるポリシ設定操作の負担が軽減できる点にある。プレゼンス通知ポリシの設定操作は、条件とプレゼンス通知ポリシとの関係をあらかじめ登録するだけである。ユーザは、ウォッチャが追加されるたびにポリシ設定操作をする必要がなくなる。
【００９６】
また、上記実施例１〜４によれば、第２の効果として、ユーザが簡単に他のサービスと連携してプレゼンス情報を公開できる点にある。所定のサービスの利用中にプレゼンス情報を公開する場合は、サービスの利用状況を示すプレゼンス情報に関連して、プレゼンス通知ポリシを登録することができる。サービスで必要なプレゼンス情報の種類が変わった場合でも、ユーザは、サービスの利用状況に関連して登録したプレゼンス通知ポリシを変更するだけで簡単に対応できる。
【００９７】
特に実施例２によれば、同じ状況にいるユーザにだけ、簡単にプレゼンス情報を公開することができる。さらに、実施例４によれば、自分のプレゼンス情報とウォッチャのプレゼンス情報との関係を条件として指定することで、例えば、自分と同じプレゼンス情報を公開しているウォッチャにプレゼンス通知ポリシを適用することができる。
【００９８】
よって、実施例１〜４によれば、ユーザは、具体的な状況を想定しながらプレゼンス情報通知ポリシを設定することが可能となる。このためプレゼンス情報通知ポリシの設定ミスを減らすことが期待できる。
【００９９】
以上、本発明の実施例について説明したが、上記実施例に限定されるものではなく、その要旨を逸脱しない範囲において種々の変形が可能である。
【産業上の利用可能性】
【０１００】
本発明は、装置や機器、ソフトウェアなど、プレゼンスサービス全般に適用することができ、例えば、プレゼンス通知機能が組み込まれた携帯電話、電話をしている間だけ相手に自分の位置プレゼンスを見せることを許可することができる通信端末、ネットワークゲームをしている間だけゲームの対戦相手に自分の在席状態を通知するソフトウェア、等に適用できる。
【図面の簡単な説明】
【０１０１】
【図１】本発明の実施例１に係る構成を示すブロック図である。
【図２】本発明の実施例２に係る構成を示すブロック図である。
【図３】本発明の実施例３に係る構成を示すブロック図である。
【符号の説明】
【０１０２】
１    プレゼンスクライアント端末（プレゼンス装置）
２    プレゼンスサービスサーバ（プレゼンス装置）
３    プレゼンス情報保持部
４    プレゼンス通知ポリシ保持部
５    プレゼンス通知ポリシ設定部
６    プレゼンス情報通知部
７    ウォッチャリスト保持部
８    プレゼンス情報受信部
【図１】
0004977329.tif 000002
【図２】
0004977329.tif 000003
【図３】
0004977329.tif 000004